(57)【要約】【課題】使用者がゴミ箱にゴミ袋をセットしようとする際、別途ゴミ袋が置かれている所へ取りに行く必要がなく、ゴミ袋をケース内に収納することができるゴミ箱のゴミ袋収納手段を提供する。【解決手段】ゴミ袋収納手段は、ゴミ箱１の外周縁に設けられ、ケース２及び収納箱３を備える。ケース２は、収納部２１を有し、収納部２１の一方の側面に開口２２が設けられている。収納箱３は、開口２２が形成されたケース２の収納部２１に収納される。収納箱３は、収納スペース３１を有し、その頂部に収納スペース３１と通じる取出口３２が設けられている。使用者は、収納箱３の収納スペース３１にゴミ袋を置くことができると共に、収納箱３をケース２内に収納することができる。また、使用者は、ゴミ袋を便利に取り出せる様、ケース２の収納部２１内から収納箱３を引き出すことができる。【選択図】  図１
0003160184.tif 000002
【実用新案登録請求の範囲】
【請求項１】
内部に収納部を有し、前記収納部と通じる開口が形成されているケースと、
前記開口が形成されている前記ケースの前記収納部に収納され、内部に収納スペースを有し、頂部に前記収納スペースと通じる取出口を有する収納箱と、
を備えることを特徴とするゴミ箱のゴミ袋収納手段。
【請求項２】
前記収納箱は、前記ケースの前記開口と同じ側の面に、前記開口を塞ぐことが可能な側板を有し、前記側板の頂部の縁の中間に引出孔が形成されていることを特徴とする請求項１に記載のゴミ箱のゴミ袋収納手段。
【請求項３】
前記ケースは少なくとも１つの接続部を有し、前記接続部によって前記ケースを結合することを特徴とする請求項１に記載のゴミ箱のゴミ袋収納手段。
【請求項４】
前記ケースは２つの接続部を有することを特徴とする請求項３に記載のゴミ箱のゴミ袋収納手段。
【請求項５】
前記ケースの収納部の底面と前記収納箱の底部との間にレール装置が設けられていることを特徴とする請求項１に記載のゴミ箱のゴミ袋収納手段。
【請求項６】
前記収納箱は、前記底部と前記側板とが当接部において当接し、当該当接部が前記ケースの前記開口側の底部に位置するように前記ケース内に配置され、前記当接部を軸として回動可能であることを特徴とする請求項１に記載のゴミ箱のゴミ袋収納手段。
【請求項７】
前記ケースは前記ゴミ箱の後側に設置されることを特徴とする請求項１に記載のゴミ箱のゴミ袋収納手段。
【考案の詳細な説明】
【技術分野】
【０００１】
本考案はゴミ箱のゴミ袋収納手段に関する。
【背景技術】
【０００２】
従来のゴミ箱は単純な箱型で、使用者がゴミ箱にゴミ袋をセットしようとする際、別途ゴミ袋が置かれている所へ取りに行ってからゴミ箱にセットしているのが普通である。
【０００３】
しかし従来のゴミ箱にゴミ袋をセットするために、別途ゴミ袋が置かれている所へ取りに行くのは使用面で不便である。また現代人は生活に追われてゴミ袋の在り処を忘れがちであり、或いは使用後にゴミ袋を元の位置に戻さないことで、次にゴミ袋を使用する際に見つからないといったことが起き、極めて不便である。
【考案の概要】
【考案が解決しようとする課題】
【０００４】
本考案の主な目的は、上記の課題を解決するため、使用者がゴミ箱にゴミ袋をセットしようとする際、別途ゴミ袋が置かれている所へ取りに行く必要がなく、ゴミ袋をケース内に収納することができるゴミ箱のゴミ袋収納手段を提供する。
【０００５】
本考案のもう一つの目的は、使用者が収納箱をケースの収納部から引出すと、レ−ル装置が収納箱とケースとの間の抵抗力を減らして、使用者が引っ張る力を省ける様にレール装置を設置したゴミ箱のゴミ袋収納手段を提供することにある。
【０００６】
本考案のさらにもう一つの目的は、収納箱の底部の側板に近傍する箇所をケース収納部の底部の開口に近傍する箇所に設け、ケースの開口から収納箱を回動させて出すことができるゴミ箱のゴミ袋収納手段を提供することにある。
【課題を解決するための手段】
【０００７】
前記の目的を達するため本考案のゴミ箱のゴミ袋収納手段は、ケースと収納箱とを備える。ケースは、内部に収納部を有し、収納部と通じる開口が、収納部のうちの一側辺である一方の側面に設けられている。収納箱は、開口が形成されているケースの収納部に収納される。収納箱は、内部に収納スペースを有し、頂部に収納スペースと通じる取出口を有している。
【０００８】
また、ケースと収納箱の間にはレール装置が設置されている。収納箱は、レール装置によってケースの収納部の底面上を移動することができる。
【０００９】
さらに、収納箱の底部の側板に近傍する箇所がケース収納部の底部の開口に近傍する箇所に回動するように設けられており、収納箱をケースの開口からケースを回動させて出すことができる。
【００１０】
このように本考案は、特にゴミ箱に設置してゴミ袋を取り出したり交換したりするのに便利なゴミ箱のゴミ袋収納構造としてのゴミ箱のゴミ袋収納手段に関するものである。これにより、使用者がゴミ箱にゴミ袋をセットしようとする際、使用者は、直接収納箱を引出してゴミ袋を取ることができ、別途ゴミ袋が置かれている所へ取りに行く必要がなく、使用後は収納箱をケース内に収納することができる。
【００１１】
本考案の上記及びその他の目的や長所は、下記の実施形態による詳細な説明や添付図面によって深い理解が得られる。
当然ながら、本考案は部材の取り付けに異なるところが有るのは許容の範囲内であり、実施形態は本明細書において詳細に説明すると共に添付図面でその構成を明示することとする。
【図面の簡単な説明】
【００１２】
【図１】本考案において収納箱はケースと分離状態にあることを模式的に示す斜視図。
【図２】本考案の第１実施形態において、収納箱はレール装置によってケース内に設けられることを示す背面図。
【図３】本考案の第１実施形態において、収納箱をケースから滑動させて出すことを示す背面図。
【図４】本考案の第２実施形態において、収納箱をケース内に回動するように設けることを示す背面図。
【図５】本考案の第２実施形態において、収納箱をケースから回動させて出すことを示す背面図。
【考案を実施するための形態】
【００１３】
以下、本考案の実施形態を図面に基づいて説明する。図１から図５は、本考案で選択した実施形態の構成を開示しているが、ここでは説明用とするに留まり、この様な構成に制限されないこととする。
【００１４】
（第１実施形態）
本考案の第１実施形態を図１から図３に示す。ゴミ箱１は、ケース２及び収納箱３を備える。ゴミ箱１はその頂部にフタ１１が取り付けられている。ゴミ箱１の底部には、フタ１１を駆動し回動させることが可能なペダル装置１２が設けられている。使用者は、ペダル装置１２を踏むことによって、フタ１１をゴミ箱１の頂面にて開閉させることができる。ケース２は収納部２１を有し、収納部２１のうちの一側辺である一方の側面に開口２２が設けられている。ケース２には、開口２２に隣り合う側の中間に、少なくとも１つの接続部２３が設けられている。本実施形態では２つの接続部２３を有し、ケース２はこの２つの接続部２３によってゴミ箱１の外周縁に結合されて係止固定されている。本実施形態ではケース２はゴミ箱１のペダル装置１２と異なる後側面に設置されている。
【００１５】
収納箱３は、開口２２が形成されたケース２の収納部２１に収納される。収納箱３は、収納スペース３１を有し、その頂部に収納スペース３１と通じる取出口３２が設けられている。使用者はゴミ袋（図示せず）を収納箱３の収納スペース３１内に置くことができる。取出口３２は使用者が収納箱３の収納スペース３１内に置いたゴミ袋を取るためのものである。また、収納箱３はケース２の開口２２と同じ側の面に開口を密封する側板３３を有している。側板３３の頂縁の中間には引出孔３４が設けられている。収納箱３をケース２の収納部２１内から引き出せる様に、引出孔３４は使用者が手指を掛けることができるように形成されている。
【００１６】
図２から図３に示すように、ケース２の収納部２１の底面と収納箱３の底部との間にレール装置４が設置されている。収納箱３はレール装置４によってケース２の収納部２１の底面上を水平移動する。これにより、使用者が収納箱３をケース２の収納部２１から引出す際、レ−ル装置４は引っ張る過程で生じる抵抗力を減らすことができる。
【００１７】
本実施形態では、使用の際、使用者が引出孔３４に手指を掛けることができ、収納箱３にケース２から離れる外向きに引く力を加えると、収納箱３はレール装置４によって水平移動して開口２２を通ってケース２から離れる。このとき使用者は取出口３２から収納箱３の収納スペース３１内に置かれたゴミ袋を取って引き剥がした上で、取出口３２からゴミ袋を収納箱３の収納スペース３１に置いて、収納箱３にケース２方向へ押す力を加えると、収納箱３はレール装置４に沿ってケース２の収納部２１内に押し戻される。
【００１８】
これまでに述べたことをまとめると、本実施形態の長所は収納箱３に使用者がゴミ袋を置けることにある。本実施形態のゴミ箱のゴミ袋収納手段は日常生活で使用するゴミ箱１に設置することができる。これにより、使用者がゴミ袋を使用しようとする際、別途ゴミ袋が置かれているところまで取りに行く必要が無く、使用面で便利であり、使用後は収納箱３をケース２内に収納することができる。
【００１９】
また、本実施形態は、レール装置４を利用している。使用者が収納箱３をケース２の収納部２１内から引出そうとする際、レール装置４によって抵抗力を減らせるため、引っ張る過程で力を省くことができる。このように、レール装置４を設置することにより、収納箱３をケース２内から引出す過程が一層スムーズとなる。
【００２０】
（第２実施形態）
本考案の第２実施形態を図４及び図５に示す。本実施形態では、収納箱３の底部の側板３３に近傍する箇所が、ケース２収納部２１の底部の開口に近傍する箇所に回動するように設けられている。これにより、ケース２を回動させて収納箱３をケース２の開口２２から出すことができる。このとき、使用者は収納箱３の取出口３２からゴミ袋を取り出す。収納箱３が定位置まで回動すると、収納箱３の回動するように設けられた箇所に対向する対角の頂端がケース２の収納部２１の頂部の内壁面に当接してストッパー機能を発揮するため、収納箱３が回動し過ぎない様になる。
【００２１】
本実施形態では、使用の際、引出孔３４に手指を掛け、収納箱３に対して外向きに引く力を加えると、収納箱３はケース２の開口２２からケース２を回動させて出し、使用者は収納箱３の取出口３２からゴミ袋を取り、ゴミ袋を取り去った上で、収納箱３をケース２に押しやると、収納箱３は元の位置に回動する。
【００２２】
本実施形態は上記第１実施形態の作用を同様に有するほかに、レール装置に代えて回動する原理を応用することで、組合せに必要な部材が簡易となる。
【００２３】
以上、本考案の実施形態について図面を参照して詳述したが、具体的な構成はこの実施形態に限られるものではなく、本考案の要旨を逸脱しない範囲の設計変更等も含まれる。以上の詳細な説明により、その考案の属する技術分野における通常の知識を有する者は、本考案が前述の目的を達成可能であることが理解できる。
【符号の説明】
【００２４】
１：ゴミ箱、１１：フタ、１２：ペダル装置、２：ケース、２１：収納部、２２：開口、２３：接続部、３：収納箱、３１：収納スペース、３２：取出口、３３：側板、３４：引出孔、４：レール装置
【図１】
0003160184.tif 000003
【図２】
0003160184.tif 000004
【図３】
0003160184.tif 000005
【図４】
0003160184.tif 000006
【図５】
0003160184.tif 000007
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
内部に収納部を有し、前記収納部と通じる開口が形成されているケースと、
前記開口が形成されている前記ケースの前記収納部に収納され、内部に収納スペースを有し、頂部に前記収納スペースと通じる取出口を有する収納箱と、
を備えることを特徴とするゴミ箱のゴミ袋収納手段。
【請求項２】
前記収納箱は、前記ケースの前記開口と同じ側の面に、前記開口を塞ぐことが可能な側板を有し、前記側板の頂部の縁の中間に引出孔が形成されていることを特徴とする請求項１に記載のゴミ箱のゴミ袋収納手段。
【請求項３】
前記ケースは少なくとも１つの接続部を有し、前記接続部によって前記ケースを結合することを特徴とする請求項１に記載のゴミ箱のゴミ袋収納手段。
【請求項４】
前記ケースは２つの接続部を有することを特徴とする請求項３に記載のゴミ箱のゴミ袋収納手段。
【請求項５】
前記ケースの前記収納部の底面と前記収納箱の底部との間にレール装置が設けられていることを特徴とする請求項１に記載のゴミ箱のゴミ袋収納手段。
【請求項６】
前記収納箱は側板と底部とを有し、
前記側板は、前記ケースの前記開口と同じ側の面に形成され、前記開口を塞ぐことが可能であり、
前記底部と前記側板とは当接部において当接し、
前記収納箱は、前記当接部が前記ケースの前記収納部の前記開口側の底面に位置するように前記ケース内に配置され、前記当接部を軸として回動可能であることを特徴とする請求項１に記載のゴミ箱のゴミ袋収納手段。
【請求項７】
前記ケースは前記ゴミ箱の後側に設置されることを特徴とする請求項１に記載のゴミ箱のゴミ袋収納手段。